(57)【要約】  工業用ラミネート、特に「ラミナチノ（laminatino）」で被覆されるドア（１０）のスライド用装置であって、前記ドアは通路空間（１２）が得られる壁（１４）に対してスライドし、前記ドアの上端に配置され、１つ以上のトロリーの前記車輪（１８）がそれに沿ってスライドする逆Ｕ字型台座（２０）と、少なくとも１つのクッション付き止め具（２２）とが設けられる、支持基部（３０）を備えるガイドプロファイルセクション（guide profile section）（２８）を備える。前記プロファイルセクション（２８）は、その基部（３０）から始まるドア（１０）にネジ（３２）又は同等の手段で固定され、ドア自体の上端（１０´）に沿って垂直に取り付けられる。前記プロファイルセクション（２８）の前記基部（３０）は、直角に上向きに曲げられ、前記ドア（１０）の被覆される前側（３６）と一致する一体型壁（３４）を形成する。【選択図】  図３
2020512492.tif 000002
【特許請求の範囲】
【請求項１】
工業用ラミネートで被覆される、特に「ラミナチノ（laminatino）」で被覆されるドア（１０）のスライド用装置であって、前記ドアは通路空間（１２）が得られる壁（１４）に対してスライドし、前記ドアの上端に配置され、１つ以上のトロリーの前記車輪（１８）がそれに沿ってスライドする逆Ｕ字型台座（２０）と、少なくとも１つのクッション付き止め具（２２）とが設けられる、支持基部（３０）を備えるガイドプロファイルセクション（guide profile section）（２８）を備え、前記プロファイルセクション（２８）は、ネジ（３２）又は同等の手段でその基部（３０）から始まる前記ドア（１０）に固定され、前記ドアの前記上端（１０´）に沿って垂直に取り付けられることを特徴とする当該装置。
【請求項２】
前記プロファイルセクション（２８）の前記支持基部（３０）は、前記ドア（１０）の深さ又は厚さと少なくとも等しい高さで幅方向に延在し、前記プロファイルセクション（２８）の前記基部（３０）は、前記壁（１４）と反対側の当該前端で上向きに直角に曲げられて、前記ドア（１０）の前記被覆される前側（３６）と一致する一体型壁（３４）を形成していることを特徴とする請求項１に記載の装置。
【請求項３】
前記プロファイルセクション（２８）の前記壁（３４）は、５０．０〜７０．０ｍｍの高さを有することを特徴とする請求項２に記載の装置。
【請求項４】
前記壁（３４）に対して反対側の位置において、前記プロファイルセクション（２８）には、前記壁（１４）に対向する前記基部（３０）の当該後端付近の領域から始まり、前記ドア（１０）に向けて下方に展開される縁（３８）が設けられることを特徴とする請求項３に記載の装置。
【請求項５】
前記縁（３８）は、２．０〜４．０ｍｍの高さを有し、前記ドア（１０）の前記前側（３６）と反対側の当該後側に取付けられることを特徴とする請求項４に記載の装置。
【請求項６】
前記プロファイルセクション（２８）は、２つの独立したセクションから作られ、それらは互いに接続可能で、各々の基部領域（３０）から始まる前記ドア（１０）の当該端に両方ともネジで固定され、前記セクションの１つが前記垂直壁（３４）を備えていることを特徴とする請求項２に記載の装置。
【請求項７】
前記プロファイルセクション（２８）の少なくとも前記垂直壁（３４）は、前記ドア（１０）の前記ラミナチノ被覆と審美的に調和していることを特徴とする上記請求項の１つ以上に記載の装置。
【発明の詳細な説明】
【説明】
【０００１】
本発明は、工業用ラミネートで被覆されたスライドドア用装置に関する。より具体的には、本発明は、２つの部屋を分離し、標準寸法の工業用ラミネートで形成される被覆が設けられるウイング又はドアのスライド動作に特に適した装置に言及する。
【０００２】
知られているように、２つの部屋を分離するスライドドアは広く普及し評価され、なぜならばそれらは開口に角度をなして空間を占領して配置されないが、開口が作られる壁に平行に隣接してスライドするからである。スライドドアに関して、特定の装置が使用され、それはドアの上端に接続される付属物がそれから下方に突出する、１つ以上のトロリーをスライドするため壁に固定される上部ガイドを備えている。相補的な下部ガイドは、一般に、床と面一に一体化され、同スライドドアの下端に接続される車輪又はスキッドがその内側でスライドする。この種の解決策は、同出願人の特許出願である、欧州特許出願公開第２９１３４６８号明細書Ａ１に記載されている。
【０００３】
一方、欧州特許第２６４６６３５号明細書は、ガイド及び支持手段が戸口の延びに関連して相対的に小さい設置面積と、設置及び保守作業を迅速かつ容易に行う可能性との両方を保証するスライドドアに関する。
【０００４】
更に、欧州特許第１７２５７２９号明細書は、スライドプロファイルセクション（sliding profile section）が壁に固定され、遮蔽する戸口の幅の約２倍に等しい寸法の長さに延在している、スライドドア用のサスペンションシステムに言及する。
【０００５】
既知タイプのスライドドアは、それらがハニカム及び未塗装パネルから作られること、それらが、適切に処理され、「ラミナチノ（laminatino）」と呼ばれ、様々な種の木材又は他の装飾或いは色の効果を再現し、これらドアの仕上げを形成する、合成材料又は紙の薄いシートで覆われること、を提供する。ラミネートは、スライドドアの高さに影響を与える標準寸法に従って作られる。この寸法は、典型的には２，１５０ｍｍである。２，１００ｍｍの高さを有するドアは、残り５０ｍｍに相当する部分を処理に利用可能のまま残して２，１５０ｍｍの高さを有するラミナチノで被覆することができる結果になるが、一方２，２００ｍｍ以上の高さを有するドアを被覆することは不可能である。ドア又はウイングの高さは、壁に作られる開口の高さによって決定される。既定した寸法にかかわらず、完成した開口の高さは従来の高さ２，１００ｍｍより僅かではあるが高いことがしばしば起こり、従ってそれはラミネートで被覆したスライドドアの使用を不可能にする。上記特定される１つよりも更に大きい高さを有する、異なるサイズのラミナチノもある。しかしながら、規格外の部屋用のドアは２，１５０ｍｍの寸法を僅かに超えるにすぎないため、この特定分野のそれの使用は多量の材料の無駄に繋がる。
【０００６】
本発明の目的は、上述する欠点を取り除くことである。
【０００７】
より具体的には、本発明の目的は、２，１００ｍｍを超える高さ、又はラミネートの対応するサイズに適合しないいかなる高さを有する壁開口の存在下でも、ラミナチノで被覆されたドアの使用を可能にするスライドドア用装置を提供することである。
【０００８】
本発明の更なる目的は、ドアを低くしてドアと面一のスライドプロファイルセクションを収容するのに必要な伝統的な作業を回避できる、上記定義したようなスライドドア用装置を提供することである。
【０００９】
特に、本発明の目的は、望ましくない審美的効果を生み出すことなく、壁に作られた戸口の光を適切かつ完全に覆うドア用スライド装置を使用者に提供することである。
【００１０】
本発明の更なる目的は、容易かつ経済的に製造し得るように、高い水準の耐性及び信頼性を長期に亘って保証するスライドドア用装置を使用者に提供することである。これら及び他の目的は、主請求項に従う本発明の工業用ラミネートで被覆されたスライドドア用装置によって達成される。
【００１１】
この発明の工業用ラミネートで被覆されたスライドドア用装置の構造上及び機能上の特徴は下記詳細な説明からよく理解でき、その中では好適で非限定的な実施形態を表す図の添付の目録が参照される。
【図面の簡単な説明】
【００１２】
【図１】図１は、公知の参考技術に係る、壁に作られる開口又は通路空間、及び同空間を閉じる関連するスライドドアの概略正面図である。
【図２】図２は、図１に係る上記壁及びウイングの概略断面図である。
【図３】図３は、図２の拡大詳細図の概略図であって、トロリーのスライドプロファイルセクションを収容するための伝統的な解決策に係るウイング上に作られる低下部（lowering）を示す。
【図４】図４は、本発明に係る、壁に作られる開口又は通路空間、及び同空間を閉じる対応するスライドドアの概略正面図である。
【図５】図５は、図４に係る上記壁及びウイングの概略断面図である。
【図６】図６は、図５の拡大詳細図の概略図であって、プロファイルセクションとウイング又はドアとの間の端接続を示す。
【図７】図７は、空間自体を閉じることを意図する本発明に係る、空間を有する壁、及びスライドドアの概略不等角投影図である。
【図８】図８は、ドアに固定されている本発明のスライド装置の概略上面図である。
【００１３】
最初の参照は図１〜３であり、壁１４に作られる通路空間１２をドアで一時的に遮蔽するように、同出願人によって設計されたドア１０のスライドを製造する解決策を示す。図１から、ドア１０が空間１２を完全に遮蔽できるのは、それが空間と少なくとも同じ高さ、好ましくは空間より高い高さを有する場合のみであると留意すべきである。ドア１０を被覆する材料が、標準サイズの２，１５０ｍｍを超えないような所要高さに達しない場合、この被覆を有するドアは使用できない。更に、図３を参照して、伝統的な解決策によれば、車輪１８を有する１つ又は複数のトロリーが走るプロファイルセクション（profile section）１６用支持台座を作り、また上記壁に対するプロファイルセクションの過度の突出を回避するため、ドア１０は壁１４に対向する前側にて上縁で長手方向の低下部（lowering）を設けなければならないことを留意すべきである。図３から分かるように、上記プロファイルセクションは、ドア１０、特にその内側１０´に従来のネジ２４で横方向に固定され、実質的に「Ｌ」字形の部分を画定し、既知のトロリーの車輪１８がそれに沿って走行する逆「Ｕ」字型の台座２０が設けられる上部と、少なくとも１つの既知のクッション付き止め具２２が収容されている下部と、を有する。後者は、開く及び／又は閉じる時そのストロークの終わりで、ドア１０に徐々に付随する。トロリーは、この公知の実施形態によれば、この場合空間の高さよりも高いドア１０によって完全に遮蔽される空間１２の上方の壁に、ネジ２６又は同等の保持手段で固定される。
【００１４】
本発明によれば、同一の構成要素に関して上述した既知解決策の同一の参照符号が使用される図４〜図８を特に参照して、ドア１０のスライド装置はドアの上端に位置し、プロファイルセクション１６と同様に、既知のトロリーの車輪１８がそれに沿って走る逆「Ｕ」字型台座２０と、少なくとも１つのクッション付き止め具２２とが設けられる、ガイドプロファイルセクション２８を備える。床に隣接する下部において、ドア１０は、既知のタイプのガイド、及び滑材又は同等の手段の支持によって、代わりに駆動されスライドする。
【００１５】
プロファイルセクション２８の支持基部３０は、図６に詳細に示され、好ましくはドア１０を構成するウイングの深さ又は厚さに少なくとも等しい寸法だけ幅方向に延在している。プロファイルセクション２８は、図８中に１０´で示される上記ドアの上端に上記基部３０で載置され、この厚さを規定する。プロファイルセクション２８は、ネジ３２でドア１０に固定され、上記上端に沿って垂直に係合される。
【００１６】
壁１４と反対側の前端では、プロファイルセクション２８の基部３０は、上向きに直角に折り曲げられ、ドア１０の前側、と一致する一体型壁３４を形成する。ドア１０の上記前側３６には、高さが２，１５０ｍｍに等しいその標準寸法においても、ラミナチノ（図示せず）で構成される被覆を有利に設けることができる。壁３４は、この被覆と完全に一致して、それは視覚的に帯形状のその延在部を構成し、ドア１０の幅に対応する幅を有する。プロファイルセクション２８の上記壁３４は、それゆえ、ラミナチノ被覆を有するドア１０の高さよりも高い高さを有する空間１２の上部を遮蔽でき、殆どの場合、４０ｍｍを超えないこの高さを有利に補償する。プロファイルセクション２８の壁３４は、空間１２の高さで主に規定される特定の要件に従って、いかなる場合でも任意の高さ寸法を有することができる。しかしながら、好ましい非限定的な実施形態によれば、この高さは有利には５０．０から７０．０ｍｍの範囲である。
【００１７】
壁３４に対して反対側の位置において、プロファイルセクション２８は縁３８を備え、その縁３８は基部３０から、特に壁１４に対向する基部の後端付近の領域から始まってドア１０に向けて下方に延在する。縁３８は、２．０〜４．０ｍｍの範囲の配向高さを有し、図６及び図８において特に現れ、プロファイルセクション２８のためのストッパーとして作用し、そのおかげでプロファイルセクションはその前側３６の反対側のその後側でドア１０と接触する。図６、７及び８に現れるように、プロファイルセクション２８の反対側の端には、従来の遮蔽及び仕上げキャップ４０がある。
【００１８】
プロファイルセクション２８の壁２４は、ラミナチノ（laminatino）被覆に適合するように、審美的観点からカスタマイズできる。この意味で、この壁は、塗装でき、又はプロファイルセクション２８全体を例えば陽極酸化又は陽極酸化処理のような表面仕上げ処理でき、それは多色を有する表面を得ることを可能にする。更に、上記プロファイルセクション２８は２つの独立したセクションで作ることができ、既知の方法で互いに接続可能で、基部３０の各々の領域から始まるドア１０の端に両方ともネジで固定される。この仮説において、これらセクションのうちの１つは、基部３０の一部に加えて垂直壁３４のみを備えることができる。
【００１９】
図８は、実質的に動作状態にあるプロファイルセクション２８の上方から示し、プロファイルセクション２８は、ネジ３２でドア１０の上端１０´に恒久的に固定されようとしている。同図８は、既知の２つ以上のローラ４２の存在を示し、それは本明細書に記載及び特許請求する解決策とは無関係で、水平に配列され、かつ部分的にプロファイルセクション２８から突出してドア１０の開閉ステップ中に壁１４を判別する。上記から分かるように、本発明が達成する利点は明らかである
本発明の工業用ラミネートで被覆されたスライドドア用装置は、２，１５０ｍｍに等しい当該被覆の標準サイズを超えるドア１０にもラミナチノ被覆を使用することを可能にする。これは、まず第１に、空間１２の規格外の高さ寸法によって決定される残りの高さが、プロファイルセクション２８の垂直壁３４で形成される帯によって効果的に補償されるためで、それはラミナチノ被覆が設けられる上記ドア１０の上端と面一に延在している。
【００２０】
更なる利点は、プロファイルセクション２８全体又は壁３４を含むその一部分を塗装作業、又は陽極酸化表面処理によって、壁３４を上記ラミナチノのタイプ及び／又は色と容易に審美的に調和できることである。
【００２１】
非限定的な例として与えられた本発明の可能な実施形態を参照して本発明を上記に説明したが、上記の説明に照らして当業者には多数の変更及び変形が明らかであろう。従って、本発明は、特許請求の範囲の精神及び保護範囲内にある全ての変更及び変形を包含することを意図している。
【図１】
2020512492.tif 000003
【図２】
2020512492.tif 000004
【図３】
2020512492.tif 000005
【図４】
2020512492.tif 000006
【図５】
2020512492.tif 000007
【図６】
2020512492.tif 000008
【図７】
2020512492.tif 000009
【図８】
2020512492.tif 000010
【国際調査報告】
2020512492.tif 000011
2020512492.tif 000012